(57)【要約】      （修正有）【課題】折り目付エアフィルタの複数の折り目に跨って適切な清掃が容易に実行できるフィルタ用真空清掃ブラシを提供する。【解決手段】折り目付のフィルタ２にブラシ掛けと真空吸引を行うためのフィルタ真空清掃ブラシ１は、真空吸引装置３に接続され得て、折り目４のピッチＰの複数倍以上の幅を持つ吸引開口を持つブラシヘッド６と、吸引開口を囲んで配置されて吸引開口に垂直な方向にそれぞれ出退移動できる複数のブラシ７と、ブラシ７を吸引開口に対して解除可能に固定する固定機構８とを備えている。【効果】折り目付エアフィルタの複数の折り目に跨って適切な清掃が容易に実行できるフィルタ用真空清掃ブラシが提供できる。【選択図】図１
2011156310.tif 000002
【特許請求の範囲】
【請求項１】
折り目付のフィルタにブラシ掛けおよび真空吸引を行うための真空清掃ブラシであって、
真空吸引装置に接続され得て、折り目のピッチの複数倍以上の幅を持つ吸引開口を持つブラシヘッドと、
上記ブラシヘッドに上記吸引開口を囲んで配置され、上記吸引開口に対して垂直な方向に互いに独立して出退移動できる複数のブラシと、
上記ブラシを上記吸引開口に対して解除可能に固定する固定機構とを備えたことを特徴とするフィルタ用真空清掃ブラシ。
【請求項２】
上記ブラシが、上記ブラシヘッドに摺動可能に支持された軸と、上記軸に取り付けられた毛材とを備えており、
上記固定機構が、上記ブラシを上記ブラシヘッドとの間に押圧力を与えて摩擦により固定する固定位置、および上記ブラシへの押圧力を除去する解除位置に選択的に移動可能な押圧部材と、
上記押圧部材を上記固定位置および上記解除位置の間で移動させるレバー機構とを備えており、
上記押圧部材を上記解除位置にして上記ブラシを上記フィルタにあてたとき、上記ブラシが上記フィルタの折り目のピッチに従って上記ブラシヘッドに対して進退した位置となり得るようにしてあることを特徴とする請求項１に記載のフィルタ用真空清掃ブラシ。
【発明の詳細な説明】
【技術分野】
【０００１】
この発明はフィルタ用真空清掃ブラシに関し、特に折り曲げられて折り目を持つフィルタにブラシ掛けと真空吸引とを同時に行うことのできるフィルタ用真空清掃ブラシに関するものである。
【背景技術】
【０００２】
従来の真空清掃ブラシとしては、ルームエアコン熱交換器に付着した汚れや埃を家庭用電気掃除機または水道水を利用して除去するために、中空体よりなる本体に握り部、ブラシ支持体、ブラシ部、電気掃除機ホース接合部およびアダプター接合部を設け、本体と接合して使用するアダプターに本体接合部と水道ホース接合部を設け、また、ブラシ部に長毛部と短毛部を設けたルームエアコン熱交換器掃除具が提案されている（例えば特許文献１参照）。
【０００３】
また、清掃具本体が入り込めない空気調和機の狭い機構部分の清掃もできるようにするために、両端が開口したノズル状の清掃具本体と、この本体の一方の端部である根元部に設けられた電気掃除機ホース接合部と、本体の他方の端部である先端部に設けられ、内部がダクトとなる中空体であり、先端から少なくとも所定長さは直線に近い形状のブラシ支持体と、このブラシ支持体の先端に設けられ、ダクトに対して吸い込み方向が垂直方向となる吸い込み口部と、ブラシ支持体の吸い込み口部前方に吸い込み方向と平行に設けられた洗浄用のブラシとを備えた空気調和機の清掃具も提案されている（例えば特許文献２参照）。
【先行技術文献】
【特許文献】
【０００４】
【特許文献１】特開平１１−２２５９１９号公報
【特許文献２】特開２００２−６５５２６号公報
【発明の概要】
【発明が解決しようとする課題】
【０００５】
特許文献１に記載されているルームエアコン熱交換器掃除具においては、中空体よりなる本体に握り部、ブラシ支持体、ブラシ部、電気掃除機ホース接合部およびアダプター接合部を設け、本体と接合して使用するアダプターに本体接合部と水道ホース接合部を設け、また、ブラシ部に長毛部と短毛部を設けてあり、熱交換器のフィンの細かい襞の奥にまで水洗いしながらブラシの毛先を届かせるようにしてある。しかしながら、この掃除具は間隔が狭い熱交換器のフィンなどの清掃には有用であっても、空気調和機などの山と谷の折り目が付けられたエアフィルタの清掃のためには適切なものではない。また、この掃除具を折り目付のフィルタに用いる場合には、それぞれの折り目に沿って折り目毎に少なくとも１回は動かさねばならず、折り目のピッチが数センチメートルもあるような大きな山あるいは谷が設けられている場合には、一つの折り目について数回往復させねばならず、作業が困難であるばかりでなく、清掃が完全に行われないことさえある。
【０００６】
特許文献２に記載されている空気調和機の清掃具は、ブラシ支持体の先端に設けられた吸い込み口部前方に吸い込み方向と平行に洗浄用のブラシを設けて、清掃具本体が入り込めないような狭い部分の清掃もできるようにしたものである。しかしながら、この清掃具の吸い込み口部は、狭い部分に届かせるために細くされていて、空気調和機の折り目つきエアフィルタの清掃のためには必ずしも最適なものではない。すなわち、ブラシを折り目に沿って折り目毎に少なくとも一回動かす必要があり、折り目のピッチが比較的大きな場合には一つの折り目について数回往復させねばならず、清掃作業が困難で不完全にしか行えないことさえある。
【０００７】
従ってこの発明の目的は、折り目付エアフィルタの複数の折り目に跨って適切な清掃が容易に実行できるフィルタ用真空清掃ブラシを提供することである。
【課題を解決するための手段】
【０００８】
この発明によれば、折り目付のフィルタにブラシ掛けおよび真空吸引を行うための真空清掃ブラシであって、真空吸引装置に接続され得て、折り目のピッチの複数倍以上の幅を持つ吸引開口を持つブラシヘッドと、上記ブラシヘッドに上記吸引開口を囲んで配置され、上記吸引開口に対して垂直な方向に互いに独立して出退移動できる複数のブラシと、上記ブラシを上記吸引開口に対して解除可能に固定する固定機構とを備えたことを特徴とするフィルタ用真空清掃ブラシが得られる。
【発明の効果】
【０００９】
この発明によれば、折り目付エアフィルタの複数の折り目に跨って適切な清掃が容易に実行できるフィルタ用真空清掃ブラシが提供できる。
【図面の簡単な説明】
【００１０】
【図１】この発明のフィルタ用真空清掃ブラシの一実施の形態を清掃すべき折り目付フィルタと共に示す概略斜視図である。
【図２】図１のフィルタ用真空清掃ブラシの概略側面断面図である。
【図３】図１のフィルタ用真空清掃ブラシの概略平面断面図である。
【発明を実施するための形態】
【００１１】
以下、この発明の実施の形態について説明する。
【００１２】
実施の形態１．
図１〜３において、この発明の一実施形態のフィルタ用真空清掃ブラシ１は、折り目付のフィルタ２にブラシ掛けおよび真空吸引を行うための真空清掃ブラシであって、真空吸引装置３に接続され得て、フィルタ２の折り目４のピッチｐの複数倍以上の幅Ｗ（図３）を持つ吸引開口５を持つブラシヘッド６と、ブラシヘッド６に吸引開口５を囲んで設けられ、矢印Ａで示すように吸引開口５に対して垂直な方向に互いに独立して出退移動できる複数のブラシ７と、ブラシ７を吸引開口５に対して解除可能に固定する固定機構８とを備えている。ブラシヘッド６の吸引開口５の幅Ｗは、フィルタ２のピッチｐの大きさによらずに選択できるが、一方では、フィルタ２の複数の折り目４に跨って一度に清掃できるというこの発明の効果をより大きくするためにはピッチｐの２倍から数倍とするのが望ましく、他方では、操作者が手で持ってブラシヘッド６をフィルタ２に沿って移動させる作業を容易にするためにはブラシヘッド６はできるだけ小さく軽量にするために、吸引開口５の幅Ｗのピッチｐに対する比にも制限がある。図示の例では吸引開口５の幅Ｗは、折り目４のピッチｐに対して約４倍（Ｗ／ｐ＝４）であり、折り目４の一つの山に対して４本のブラシ７が対応するようにしてある。
【００１３】
ブラシヘッド６は、全体として下面が開いて内部に空洞９を持つ箱形の部材であって、ほぼ矩形の頂壁１０と、頂壁１０の長辺から直角に延びた前壁１１および後壁１２と、頂壁１０の短辺から直角に延びた両側壁１３とを備えている。頂壁１０には真空吸引装置３に接続されて、ブラシヘッド６の空洞９に連通した接続パイプ１４が設けられている。頂壁１０にはまた、頂壁１０の縁に沿って設けられた多数の貫通孔１５と、貫通孔１５の内側に前壁１１および後壁１２に対して平行な支持壁１６とが設けられていて、ブラシ７がこの貫通孔１５にそれぞれ挿入されていて、支持壁１６に沿って配置されている。
【００１４】
ブラシ７は、それぞれブラシヘッド６の貫通孔１５に摺動可能に挿入され、支持壁１６に対して摺動できるロッド状の軸１７と、軸１７の吸引開口５側の先端に取り付けられた毛材１８とを備えている。軸１７の頂壁１０側には貫通孔１５から抜け落ちるのを防ぐストッパ１９が設けられている。同様のブラシ７はまた、両側壁１３に沿った貫通孔１５にも摺動可能に挿入されている。このようにブラシ７は、ブラシヘッド６に吸引開口５の周囲を殆ど隙間無く囲むように配置されていて、それぞれが互いに独立して吸引開口５に対して垂直な方向に摺動して出退移動できるようにされている。
【００１５】
ブラシ７を吸引開口５に対して解除可能に固定する固定機構８は、ブラシヘッド６の前壁１１とブラシ７の軸１７との間に設けられ、ブラシ７の列に作用してブラシ７の軸１７をブラシヘッド６の支持壁１６に押圧する押圧部材２０を備えている。この押圧部材２０は、ブラシ７の軸１７に押圧力を与えて軸１７をブラシヘッド６の支持壁１６との間に挟持してその間の摩擦により固定する固定位置と、支持壁１６から離れてブラシ７の軸１７への押圧力を除去する解除位置との間に選択的に移動可能である。押圧部材２０は、ブラシ７の列全体に亘って延びたほぼ板状の部材であって、ブラシ７の軸１７に接触する側に摩擦を大きくするためのゴム等の高摩擦層２１が設けてある。
【００１６】
固定機構８はまた、押圧部材２０を固定位置および解除位置の間で移動させるレバー機構２２を備えていて、レバー機構２２は、押圧部材２０に設けられたピン２３と、前壁１１のスリット２４を貫通して延び、内端が押圧部材２０のピン２３に枢着され、外端がブラシヘッド６の外側に突出したレバー２５と、前壁１１に設けられてレバー２５を吸引開口５に平行な面内で枢動できるように前壁１１に枢着するピン２６とを備えている。
【００１７】
このようなフィルタ用真空清掃ブラシ１を用いて、例えば図１に示す折り目４付のフィルタ２を清掃する場合には、ブラシヘッド６の固定機構８のレバー機構２２を操作して押圧部材２０を解除位置にしてブラシ７がブラシヘッド６に対して自由に矢印Ａの方向に移動できるようにし、清掃すべきフィルタ２にあてがう。ブラシ７は、それぞれフィルタ２の折り目４のピッチに従ってブラシヘッド６に対して摺動して進退した位置となる。この状態で固定機構８のレバー２５の外端を操作して図３の倒した位置から立ち上がらせると、押圧部材２０がブラシ７の軸１７を押圧して支持壁１６との間で摩擦力によってその位置で保持する。このように、押圧部材２０を解除位置にしてブラシ７をフィルタ２に当てたとき、ブラシ７がフィルタ２の折り目４のピッチｐに従ってブラシヘッド６に対して進退した位置となり、図１に示すような状態となる。この状態で真空吸引装置３によってブラシヘッド６の内側の空洞９を真空吸引しながら、フィルタ２の折り目４に沿ってブラシヘッド６を移動させれば、フィルタ２はブラシ７によって清掃され、その塵埃は同時に真空吸引され、フィルタ２の複数の折り目４に跨って適切な清掃が容易に実行できる。
【００１８】
図１に示すものよりも大きなあるいは小さな折り目４を持つフィルタ２に清掃作業をする場合にも、押圧部材２０を解除位置にしてブラシ７をフィルタ２に押し当てれば、ブラシ７はそのフィルタ２の折り目４に対応した進退位置となり、複数の折り目４を一度に清掃することができる。
【００１９】
以上に図示して説明したフィルタ用真空清掃ブラシは単なる例であって様々な変形が可能であり、またそれぞれの具体例の特徴を全てあるいは選択的に組み合わせて用いることもできる。例えば、必要があれば、ブラシヘッド６の両側壁１３に沿って配置されたブラシ７も同様に吸引開口５に対して垂直な方向（矢印Ａ）に互いに独立して出退移動できるようにし、また吸引開口５に対して解除可能に固定することもできる。また、多数のブラシ７にばね等の偏倚手段によってブラシヘッド６から突出した位置に常時偏倚させておき、フィルタ２の折り目４により押されたブラシ７がばね作用力に抗して凹凸に応じて後退するようにすることもできる。
【産業上の利用可能性】
【００２０】
この発明はフィルタ用真空清掃ブラシに利用できるものである。
【符号の説明】
【００２１】
１  フィルタ用真空清掃ブラシ、２  フィルタ、３  真空吸引装置、４  折り目、５  吸引開口、６  ブラシヘッド、７  ブラシ、８  固定機構、９  空洞、１０  頂壁、１１  前壁、１２  後壁、１３  両側壁、１４  接続パイプ、１５  貫通孔、１６  支持壁、１７  軸、１８  毛材、１９  ストッパ、２０  押圧部材、２１  高摩擦層、２２  レバー機構、２３  ピン、２４  スリット、２５  レバー、２６  ピン、ｐ  ピッチ、Ｗ  幅。
【図１】
2011156310.tif 000003
【図２】
2011156310.tif 000004
【図３】
2011156310.tif 000005